(57)【要約】対向した２つの面を提示する基部（１１０）、基部（１１０）の第１の面（１１２）に配置された第１の保持要素（１２０）、および基部（１１０）の第２の面（１１４）に配置された結合層（１３０）を備えた第１のユニット（１００）と、対向した２つの面を提示する基部（２１０）、基部（２１０）の第１の面（２１２）に配置され、第１の保持要素（１２０）と係合するように適合された第２の保持要素（２２０）、および基部（２１０）の第２の面（２１４）に配置された結合層（２３０）を備えた第２のユニット（２００）とを備えた、クロージャ・システムにおいて、ユニット（１００、２００）のうちの少なくとも１つの結合層（１３０、２３０）は、別個の破断力を提示する２つの結合部分を備えることを特徴とする、クロージャ・システム。【選択図】図１
2018511537.tif 000002
【特許請求の範囲】
【請求項１】
対向した第１および第２の面（１１２、１１４）を提示する基部（１１０）、該基部（１１０）の該第１の面（１１２）に配置された第１の保持要素（１２０）、および該基部（１１０）の該第２の面（１１４）に配置され、該第１のユニット（１００）が支持面に固定されることを可能にするように適合されている結合層（１３０）を備える第１のユニット（１００）と、
対向した第１および第２の面（２１２、２１４）を提示する基部（２１０）、該基部（２１０）の該第１の面（２１２）に配置された第２の保持要素（２２０）、および該基部（２１０）の該第２の面（２１４）に配置され、該第２のユニット（２００）が支持面に固定されることを可能にするように適合されている結合層（２３０）を備える第２のユニット（２００）と
を備え、
該第１および第２の保持要素（１２０、２２０）は、再閉鎖可能な接続を行うように係合するように構成されている、クロージャ・システムにおいて、
該ユニット（１００、２００）のうちの少なくとも１つの該結合層（１３０、２３０）は、２つの結合部分を備えており、それぞれが該ユニット（１００、２００）を支持面に固定するように構成され、別個の破断力を提示することを特徴とする、クロージャ・システム。
【請求項２】
前記ユニット（１００、２００）のうちの少なくとも１つユニットの前記結合層（１３０、２３０）は、少なくとも１つの前記ユニットの前記結合部分が完全にまたは部分的に離れているように空いている部分を含む、請求項１に記載のシステム。
【請求項３】
前記空いている部分のうちの少なくとも１つは、感知マーカを含む閉鎖された空洞を定める、請求項２に記載のシステム。
【請求項４】
各ユニット（１００、２００）は、支持面を形成する底板（１４０、２４０）をさらに備え、各基部（１１０、２１０）は、その結合層（１３０、２３０）によって関連した該底板（１４０、２４０）の第１の面に固定される、請求項１から３のいずれか一項に記載のシステム。
【請求項５】
前記結合層（１３０、２３０）は、前記ユニット（１００、２００）を前記底板（１４０、２４０）にヒートシールすることによって作製される、請求項４に記載のシステム。
【請求項６】
別個の破断力を提示する２つの結合部分（１３２および１３４、または２３２および２３４）を有する少なくとも１つの前記ユニット（１００、２００）については、該結合部分（１３２および１３４、または２３２および２３４）は、２つの別個の破断力Ｆｒ１およびＦｒ２を定め、
前記保持要素（１２０、２２０）は、開封力Ｆを定め、
該力は、Ｆｒ１＜Ｆ＜Ｆｒ２となるような力である、
請求項１から５のいずれか一項に記載のシステム。
【請求項７】
前記保持要素（１２０、２２０）の各々は、関連した前記基部（１１０、２１０）と一体形成される、請求項１から６のいずれか一項に記載のシステム。
【請求項８】
前記保持要素（１２０、２２０）の各々は、関連した前記基部（１１０、２１０）、および関連した前記結合層（１３０、２３０）と一体形成される、請求項１から６のいずれか一項に記載のシステム。
【請求項９】
前記保持要素（１２０、２２０）は、保持要素のフィールドを備え、前記保持要素（１２０、２２０）のうちの少なくとも１つは、ホックを備える、請求項１から８のいずれか一項に記載のシステム。
【請求項１０】
前記保持要素（１２０、２２０）のうちの少なくとも１つは、長手方向に延びるセクション部材を備える、請求項１から９のいずれか一項に記載のシステム。
【請求項１１】
前記第１および第２のユニット（１００、２００）は、連結され、単一のユニットを形成する、請求項１から１０のいずれか一項に記載のシステム。
【請求項１２】
前記ユニット（１００、２００）の各々の前記結合層（１３０、２３０）は、別個の破断力を提示する２つの結合部分（１３２および１３４、２３２および２３４）を備える、請求項１から１１のいずれか一項に記載のシステム。
【請求項１３】
内側体積（３）にアクセスできる開口（４）を画定する２つの側壁（１、２）を有する入れ物であって、再閉鎖可能な開口を形成するように、その側壁（１、２）に配置される、請求項１から１２のいずれか一項に定められたクロージャ・システムを含む、入れ物。
【請求項１４】
各ユニット（１００、２００）は、内部境界と外部境界とを有し、該内部境界は、前記入れ物の前記内側体積（４）に配置され、該外部境界は、前記入れ物の前記内側体積（４）の外側に配置され、前記ユニット（１００）のうちの少なくとも１つの前記結合層（１３０）は、別個の破断力を提示する内側部分（１３４）および外側部分（１３２）を備え、その内側部分（１３４）がその外側部分（１３２）の該破断力よりも小さい破断力を提示するように構成されている、請求項１３に記載の入れ物。
【請求項１５】
各ユニット（１００、２００）は、内部境界と外部境界とを有し、該内部境界は、前記入れ物の前記内側体積（４）に配置され、該外部境界は、前記入れ物の前記内側体積（４）の外側に配置され、前記ユニット（２００）のうちの少なくとも１つの前記結合層（２３０）は、別個の破断力を提示する内側部分（２３２）および外側部分（２３４）を備え、その外側部分（２３４）がその内側部分（２３２）の該破断力よりも小さい破断力を提示するように構成されている、請求項１３に記載の入れ物。
【発明の詳細な説明】
【技術分野】
【０００１】
本発明は、クロージャ・システムの分野に関し、その用途を特に再閉鎖可能なバッグを作製することに見出しており、または、より一般的には、特に食品産業において、および医療または衛生の分野においても、再利用可能である取付け具またはクロージャ・システムを必要とする製品のためのものである。
【背景技術】
【０００２】
再利用可能なクロージャは、一般に、数々の領域において使用されており、それらは、いくつかの手法で作製することができる。
したがって、一例によれば、共に組み付けられる２つの要素に配置された相補的なセクション部材によって作製されるクロージャが知られており、または自己把持ユニットとして一般に呼ばれるユニット、すなわち、接触させられるとホックとループとが可逆的に付着し合うユニットを形成するループ・アンド・ホック、もしくは実際にはホック・アンド・ホック型のシステムによって作製されるクロージャが知られている。
【０００３】
そのようなクロージャに関して繰り返し求められる課題は、使用者が開閉することが容易でありつつ、閉鎖状態が十分に維持されることを確実にすることである。
【０００４】
したがって、非対称である外形を有する接続部を作製するために、いくつかのタイプのクロージャ要素が提案されており、そのような接続部を分離するのに必要な力は、及ぼされる力のタイプに特に依存する。
【０００５】
さらに、クロージャ・システムは、意図された製品に組み付けることができなければならず、これは物品への組み付け中の案内および強度の観点で主な要件をもたらす。
【０００６】
最後に、具体的には衛生および食品の分野で、特に食品産業についてのＢＲＣ／ＩＯＰの基準などのある種の基準に照らして、何ら汚染がないクロージャ・システムが供給されなければならない。
【発明の概要】
【課題を解決するための手段】
【０００７】
本発明は、これらの様々な課題を少なくとも部分的に満足するクロージャ・システムを提案しようとするものであり、したがって、
対向した第１および第２の面を提示する基部、基部の第１の面に配置された第１の保持要素、および基部の第２の面に配置され、第１のユニットが支持面に固定されることを可能にするように適合されている結合層を備える第１のユニットと、
対向した第１および第２の面を提示する基部、基部の第１の面に配置された第２の保持要素、および基部の第２の面に配置され、第２のユニットが支持面に固定されることを可能にするように適合されている結合層を備える第２のユニットと
を備え、
第１および第２の保持要素は、再閉鎖可能な接続を行うように係合するように構成されている、クロージャ・システムにおいて、
ユニットのうちの少なくとも１つの結合層は、２つの結合部分を備えており、それぞれがユニットを支持面に固定するように構成され、別個の破断力を提示することを特徴とするクロージャ・システムを提案する。
【０００８】
クロージャ・システムは、任意選択により、独立してまたは組み合わせて採用される以下の特徴のうちの１つまたは複数を提示する。
ユニットのうちの少なくとも１つの結合層は、少なくとも１つのユニットの結合部分が完全にまたは部分的に離れているように空いている部分を含む。そして、空いている部分のうちの少なくとも１つは、感知マーカを含む閉鎖された空洞を定めることができる。
各ユニットは、支持面を形成する底板をさらに備え、各基部は、その結合層によって関連した底板の第１の面に固定される。そして、結合層は、例としてユニットを底板にヒートシールすることによって作製される。
上記特徴の変形例では、少なくとも１つの閉鎖された空洞は、検討中のユニットの基部、底板、および結合部分によって画定される。
別個の破断力を提示する２つの結合部分を有する少なくとも１つのユニットについては、結合部分は、２つの別個の破断力Ｆｒ１およびＦｒ２を定め、保持要素は、開封力Ｆを定め、力は、Ｆｒ１＜Ｆ＜Ｆｒ２となるような力である。
保持要素の各々は、関連した基部と、および適切な場合には、関連した結合層とも一体形成される。
保持要素は、保持要素のフィールドを備え、保持要素のうちの少なくとも１つは、ホックを備える。
保持要素のうちの少なくとも１つは、長手方向に延びるセクション部材を備える。
第１および第２のユニットは、連結され、単一のユニットを形成する。
ユニットの各々の結合層は、別個の破断力を提示する少なくとも２つの結合部分を備える。
【０００９】
本発明は、内側体積にアクセスできる開口を画定する２つの側壁を有する入れ物であって、再閉鎖可能な開口を形成するように、その側壁に配置される、上で定義されたようなクロージャ・システムを備えた入れ物も提案する。
【００１０】
別の特定の実施形態では、各ユニットは、内部境界と外部境界とを有し、内部境界は、入れ物の内側体積に配置され、外部境界は、入れ物の内側体積の外側に配置され、ユニットのうちの少なくとも１つの結合層は、別個の破断力を提示する内側部分および外側部分を備え、その内側部分がその外側部分の破断力よりも小さい破断力を提示するように構成されている。
【００１１】
別の特定の実施形態では、各ユニットは、内部境界と外部境界とを有し、内部境界は、入れ物の内側体積に配置され、外部境界は、入れ物の内側体積の外側に配置され、ユニットのうちの少なくとも１つの結合層は、別個の破断力を提示する内側部分および外側部分を備え、その外側部分がその内側部分の破断力よりも小さい破断力を提示するように構成されている。
【００１２】
別の特定の実施形態では、各ユニットは、内部境界と外部境界とを有し、内部境界は、入れ物内側体積に配置され、外部境界は、入れ物の内側体積の外側に配置され、各ユニットの結合層は、別個の破断力を提示する内側部分および外側部分を備え、ユニットのうちの一方の結合層は、その外側部分がその内側部分の破断力よりも小さい破断力を提示するように構成されており、他方のユニットの結合層は、その内側部分がその外側部分の破断力よりも小さい破断力を提示するように構成されている。より具体的には、より小さい破断力を提示する結合部分は、第１のおよび／または第２の保持要素の突出によって定められるゾーン内の少なくとも部分的に設けられる。
【図面の簡単な説明】
【００１３】
本発明の他の特徴、目的、および利点は、以下の説明から明らかになる。この説明は、純粋に例示的であり、限定するものではなく、添付の図面を参照して読まれるべきである。
【図１】本発明の一態様におけるシステムの一例を示す図である。
【図２】本発明の一態様におけるシステムの別の一例を示す図である。
【図３】バッグなどの入れ物に関連した本発明の一態様におけるシステムの他の様々な例を示す図である。
【図４】バッグなどの入れ物に関連した本発明の一態様におけるシステムの他の様々な例を示す図である。
【図５】バッグなどの入れ物に関連した本発明の一態様におけるシステムの他の様々な例を示す図である。
【図６】バッグなどの入れ物に関連した本発明の一態様におけるシステムの他の様々な例を示す図である。
【図７】バッグなどの入れ物に関連した本発明の一態様におけるシステムの他の様々な例を示す図である。
【図８】バッグなどの入れ物に関連した本発明の一態様におけるシステムの他の様々な例を示す図である。
【図９】バッグなどの入れ物に関連した本発明の一態様におけるシステムの他の様々な例を示す図である。
【図１０】バッグなどの入れ物に関連した本発明の一態様におけるシステムの他の様々な例を示す図である。
【図１１】説明したこのシステムの効果を示すグラフである。
【図１２】説明したこのシステムの効果を示すグラフである。図面において、共通である要素は、同一の参照符号によって特定されている。
【発明を実施するための形態】
【００１４】
図１は、本発明の一態様におけるシステムの一例を示す。
この図は、再閉鎖可能な接続を行うのに適合した２つのユニット１００および２００を備えたクロージャ・システムを示す。
各ユニットは、対向した第１および第２の面を有する基部と、基部の第１の面に配置されている保持要素と、基部の第２の面に配置されているとともにユニットが支持面に固定されることを可能にするように適合されている結合層とを備える。
【００１５】
つまり、第１のユニット１００は、対向している第１の面１１２および第２の面１１４を提示する基部１１０と、基部１１０の第１の面１１２に配置されている保持要素１２０と、基部１１０の第２の面１１４に配置されているとともに、この図に示されていない支持面に第１のユニット１００が固定されることを可能にするように適合されている結合層１３０とを有する。
【００１６】
同様に、第２のユニット２００は、対向している第１の面２１２および第２の面２１４を提示する基部２１０と、基部２１０の第１の面２１２に配置されている保持要素２２０と、基部２１０の第２の面２１４に配置されているとともに、この図に示されていない支持面に第２のユニット２００が固定されることを可能にするように適合されている結合層２３０とを備える。
【００１７】
結合層１３０および２３０は、任意のタイプのものとすることができ、特に、結合層１３０および２３０は、追加の材料と共にまたはそれなしで接着またはヒートシールすることで作製することができる。
第１のユニットの保持要素１２０および第２のユニットの保持要素２２０は、例えば自己把持または接触閉鎖タイプの再閉鎖可能な接続を行うように互いに係合するように構成されている。
【００１８】
図示の例では、保持要素１２０および２２０は、ホックまたは均等物のフィールドであり、したがって雄雄タイプの接続を形成するものであり、２つの保持要素１２０および２２０を接触させ、場合によってはそれらに圧力をかけることによって２つの保持要素１２０および２２０を相互係合させるようになっている。
保持要素１２０および２２０は、各図に示されるように、それらの基部１１０および２１０の幅全体にわたって独立して延在することができ、それらは保持要素の複数のフィールドを有することができ、またはそれらは保持要素の単一のフィールドを有することができる。
【００１９】
保持要素１２０および２２０は、任意のタイプとすることができ、特に、別々の要素のフィールドが平行な長手方向の線に潜在的に延びる、または実際には互い違いの構成で配置される、押し出し成形によって作製された連続的なユニットとすることができ、あるいは連続的なユニットおよび要素の別々のフィールドの組み合わせとすることができる。以下に様々な他の実施形態が説明される。保持要素１２０および２２０は、関連した基部と一体に形成することができる。
【００２０】
第１および第２のユニット１００および２００は、図１０を参照して以下に説明されるように、単一のユニットをやはり形成することができる。そして、保持要素１２０および２２０は、典型的には、印加の関数としての外力または内力の印加で破断するように適合されているその単一のユニットの一部を定める。
そのような実施形態は、例えば、バッグに適用されるとき、より具体的には、注ぎ口に適用されるとき、または実際はユニットがバッグの周囲全体に連続的に適用されるとき、特に有利である。
【００２１】
図１に示されるように、ユニット１００および２００のうちの少なくとも１つの結合層は、別個の破断力を提示する２つの結合部分を備える。
図示の例では、第１のユニット１００の結合層１３０は、別個の破断力を提示する２つの別個の結合部分１３２および１３４を備える。これらの結合部分１３２および１３４の各々は、第１のユニット１００の基部１１０の第２の面１１４と支持面の間で接続を行うように第１のユニット１００と支持面の間に配置されている。これらの２つの結合部分１３２および１３４は離れており、それらは第１のユニット１００の基部１１０の向かい合う別個の領域で延びる。「向かい合う別個の領域」という用語は、基部１１０の第２の表面１１４に垂直な方向への結合部分１３２および１３４の基部１１０上への突出が別個であり、重なり合っていないことを意味するために使用される。
【００２２】
「別個の破断力」という用語は、これらの２つの結合部分１３２および１３４が、ユニットの一方、具体的には第１のユニット１００を支持面に固定し、支持面に加えられる力に対する所与の抵抗力に逆らいつつそれを行うように適合されていることを意味するために使用される。
この例では、２つの結合部分１３２および１３４は、別個の破断力を提示する接続を行うように、すなわち、所与の力が第１のユニットに加えられるとき、結合部分１３２または１３４の一方が破断することができる一方、他方の部分１３４または１３２が変化しないままであるとともにユニット１００と支持面の間で接続を維持するように構成されている。
【００２３】
単一の結合層内の異なる結合部分は、同一であるまたは異なる材料および方法を用いて作製することができる。
所与の結合層内の結合部分は、関連した基部と一体に作製することができる。述べた通り、各図は、図表方式で本発明を示す。具体的には、境界（別個の破断力を定める２つの結合部分間の界面、または（シールされた空洞の存在における）内側／外側境界）は、例えば、傾斜している断面形状、または９０°回転しているＵ字形状の断面形状を提示することができ、結合層の幅は、基部の幅よりも小さいものとすることができ、あるいは実際には、第１のユニットの基部１１０の第２の面１１４の両端のうちの少なくとも１つは、接着材（または結合ゾーン／接続部）を何ら有しない部分を定めることができる。
【００２４】
図１に示された例では、第２のユニット２００は、実質的に均一である結合層２３０を有し。同様に均一である破断力を提示する。
以下に説明されるように、他の実施形態が可能であり、第２のユニットの結合層２３０は、別個の破断力を提示する複数の結合部分を同様によく提示することができる。
【００２５】
結合部分１３０および２３０は、様々な方法を用いて、例えば、接着材または溶融可能材料を施すことによって、ヒートシールすることによって、接着材で付けることによって、拡散によって、または任意の他の適切な方法によって作製することができる。
図１に示されたシステムの動作を示すために、結合部分１３２に必要な破断力よりも小さいとともに、結合層２３０に必要な破断力よりもやはり小さい破断力で結合部分１３４が付着していると仮定する。
２つのユニット１００および２００が支持面に固定されると、使用者は、２つのユニット１００および２００を共に接続するように保持要素１２０および２２０を係合する。用途例として、特に食品産業分野におけるバッグ、またはおむつなどの衛生用品について言及がなされ得る。
【００２６】
保持要素１２０および２２０が係合完了すると、それらの接続部は、特に問題になっている物品が使用される手法の結果として様々な応力を受ける。
保持要素１２０および２２０がもたらす接続部に関して、保持要素１２０および２２０は、超えると保持要素１２０および２２０が互いから分離することになる強度を定めており、この強度はＦと書かれている。
【００２７】
上述したように、ユニット１００および２００のうちの少なくとも１つは、問題となっているユニットの２つの別個の破断力を支持面に対して定める２つの部分からなる結合層を有する。
したがって、一例によれば、２つの別個の破断力Ｆｒ１およびＦｒ２を定めるこれらの２つの部分（ただし、Ｆｒ１＜Ｆｒ２）が検討される場合、様々な特定の状況を識別することが可能である。
【００２８】
第１の構成では、力Ｆｒ１、Ｆｒ２、およびＦは、Ｆｒ１＜Ｆ＜Ｆｒ２となるような力である。
したがって、第１の閉鎖後、システムは、第１の開封において、（少なくともＦに等しい力を加えることで）ユニット１００および２００が分離する前に、加えられる力によって（少なくともＦｒ１の力が印加されたときに）結合層の部分のうちの１つの破断が始まるようになっている。
【００２９】
したがって、第１の使用に関し、クロージャ・システムの特性が変更され、以下に説明される図に示されるように、結合層の部分のうちの１つの破断によってユニットのうちの少なくとも１つにヒンジ型構造をもたらす。
【００３０】
結合部分１３２によって実現される破断力（Ｆｒ２）よりも小さい破断力（Ｆｒ１）で結合部分１３４が結合を与えていると仮定すると、システムの第１の開封に関しては、破断するのは結合部分１３４である。そして、結合部分１３４によって支持面に最初に固定された基部１１０の部分は分離することになり、ヒンジ部分を形成する。
【００３１】
一例によれば、結合部分１３２は、ヒートシールすることによって作製することができ、一方、結合部分１３４は、接着剤で付けることによって作製することができる。一変形例では、結合部分１３２および１３４の両方は、別個の強度、例えば、異なるヒートシール温度、異なる圧力、異なる接触時間、または実際にはこれらのパラメータのいくつかの組み合わせを定める材料および方法を使用して、ヒートシールすることによって作製することができる。一変形例では、２つの結合部分１３２および１３４は、別個の強度を定める材料および方法を使用して、接着材で付けることによって作製することができる。
結合層２３０は、力Ｆよりも大きい破断力を定め、それによってクロージャ・システムを用いつつ第２のユニット２００を支持部に固定する。一変形例では、結合層２３０の破断力、および結合部分１３２の破断力は、同様であり得る。
【００３２】
そのような構成は、いくつかの利点を示す。
すなわち、そのような構成は、例えば、加えられる箇所に応じてクロージャ・システムを開くのに必要な力が異なるように非対称である特性を有するクロージャ・システムを形成することを可能にする。例えば、バッグに配置されたそのようなクロージャ・システムに関しては、バッグの内側からバッグを開くのに必要な力は、異なることができ、例えば、バッグの外側からバッグを開くのに必要な力よりも大きい。
【００３３】
さらに、そのような構成は、クロージャ・システムがすでに開いているかどうか示すマーカを与えることも可能にさせる。
【００３４】
加えて、まさに最初からではなく、その初回の使用から、このようにクロージャ・システムの特性を変更することによって、クロージャ・システムの製造、および製品への一体化を簡単にすることが可能になる。
【００３５】
第２の構成では、力Ｆｒ１、Ｆｒ２、およびＦは、Ｆｒ１＜Ｆｒ２＜Ｆとなるような力である。
そのような構成では、クロージャ・システムの第１の使用において、保持要素１２０および２２０が分離する前に結合部分が連続して破断する。
したがって、提案されたシステムは、第１の開封において破断する改竄防止タイプのクロージャを提供する。
【００３６】
別個の破断力を有する２つの結合部分１３２および１３４の存在は、例えば、力が加えられる印加点の関数としてシステムが別個の強度を提示するように、システムの開口を広げるとともに非対称である特性を提案することも可能にさせる。
【００３７】
図２は、図１を参照して上述したシステムの特定の実施形態を示す。
以下の説明は、図２の実施形態を図１の実施形態から区別する要素にもっぱら関する。
本実施形態では、第１のユニット１００の基部１１０の結合層１３０は、結合部分１３２と結合部分１３４の間の空いている部分を画定する。
【００３８】
より正確には、図示の実施形態では、結合部分１３２および１３４は、第１のユニット１００の基部１１０の第２の面１１４の２つの両端に沿って配置されたストリップを形成し、これらの２つのストリップは、離れており、それによって接着材を何ら有しない部分を定める。
【００３９】
したがって、結合部分の一方を破断すると、第１のユニット１００は、結合部分１３２に対応するたった１つの結合ストリップによって支持面に保持され、それによって上述した本実施形態におけるよりも大きい振幅を提示するヒンジを形成する。
【００４０】
図３から図１０は、本発明の一態様におけるクロージャ・システムの様々な用途例を示す。
図３および図４は、上述したようなクロージャ・システムを有する入れ物の一例を示す。図示された入れ物は、バッグ型であり、内側体積３および開口４を定める２つの共に接続された壁１および壁２を備え、クロージャ・システムは、開口４を閉鎖するように配置されている。
【００４１】
この例では、ユニット１００および２００は、図１を参照して上述したものと同様である。
２つのユニット１００および２００の各々は、それらのそれぞれの結合層１３０および２３０を介して入れ物のそれぞれの壁１または壁２に固定される。
【００４２】
図３に示されるように、ユニットの一方、具体的にはユニット１００は、図１を参照して上述したように、別個の破断力を定める２つの結合部分１３２および１３４を提示する結合層１３０を有する。
結合層２３０は、力Ｆよりも大きい破断力を定め、それによって第２のユニット２００はクロージャ・システムが使用中である間、支持部、具体的には入れ物の壁２に固定されることを確実にする。
【００４３】
この時点で、Ｆｒ１＜Ｆｒ２であるように、結合部分１３４が破断力Ｆｒ１を定めるとともに、結合部分１３２が破断力Ｆｒ２を定めるとか仮定される。
保持要素１２０および２２０が、Ｆｒ１＜Ｆ＜Ｆｒ２であるように、力Ｆに耐えるように構成されている２つのユニット１００と２００の間で接続部を定めることも仮定される。
【００４４】
このシステムは、入れ物が充填される前または後に入れ物に組み付けることができる。一例によれば、入れ物を充填することができ、次いで任意選択により係合される２つのユニット１００および２００を用いてシステムを入れ物に固定することができ、あるいは実際には、２つのユニット１００および２００を入れ物に独立して固定することができ、入れ物を充填することができ、次いで入れ物を閉鎖するために２つのユニットを係合することができる。
そのような入れ物の使用について、以下説明する。
第１の開封前に、２つのユニット１００および２００は、それらの結合層１３０および２３０を介して入れ物の壁１および壁２にそれぞれ固定される。
【００４５】
次いで、様々な状況を区別することができる。
使用者が入れ物の内容物にアクセスするために入れ物を開封しようとするとき、使用者は、入れ物の壁１および壁２に力を加え、保持要素１２０および２２０を係合解除するように壁１および壁２を離すように移動させる傾向がある。
この力は、通常、入れ物の自由端、すなわち入れ物の開口４を定める入れ物の壁１および壁２の各端を介して加えられる。これらの端は、使用者の把持（図示せず）を容易にするための手段、例えば、筋条部分を備えることができる。したがって、加えられた力が力Ｆよりも大きい場合、保持要素１２０および２２０は、係合解除し、入れ物は開封される。適切な場合、レジスタ内に配置された保持要素１２０と結合部分１３４の係合解除中、この部分は、全体的にまたは部分的に破断する。
【００４６】
逆に、例えば、入れ物が１メートルの高さにわたって落下した結果として、入れ物の内側からクロージャ・システムに力が加えられる場合、加えられた力によって結合部分１３４の破断が始まり、それによって壁１から基部１１０の一部を分離し、図４に示されるように、ヒンジ型構造を形成するようになっている。そのようなヒンジ型構造は、入れ物の内側から及ぼされる応力に対してクロージャ・システムの強度を増大させ、その結果として偶発的に入れ物が開封する危険を減少させる。
【００４７】
したがって、そのような入れ物は、入れ物が簡単な手法で外側から開封されることをさらに可能にしつつ、入れ物の内側からの開封に対して入れ物の外側からの開封よりも大きい強度を提示する。
【００４８】
図５および図６は、図３および図４を参照して上述した本実施形態の変形例を示すものであり、２つのユニット１００および２００の各々は、それぞれの底板１４０または２４０に固定され、ユニット１００および２００のための支持部を形成する。これらの２つの底板１４０および２４０はそれら自体が、例えば、ヒートシールすることによって、接着剤で付けることによって、または任意の他の適切な手段によって、入れ物の壁１および壁２に固定される。
【００４９】
図示の実施形態では、底板１４０および２４０は、ユニット１００および２００を超えて延在し、したがって底板１４０および２４０は、ユニット１００および２００のいずれの側に作製されている接続部を介して壁１および壁２に固定され、ユニット１００および２００から離れるようにオフセットされる。
したがって、ユニット１００および２００を装備した底板１４０および２４０を壁１および壁２に固定している間、ユニット１００および２００、特に保持要素１２０および２２０に損傷を及ぼすことなく、例えば、これらの接続部を作製するために圧力または熱を加えることが可能である。
【００５０】
したがって、入れ物または衛生用品などの製品への組み付けを高速の組み付けで容易にするために、そのような底板１４０および２４０を装備したクロージャ・システムが供給され得る。
【００５１】
図５に示されるように、ユニットの一方、具体的にはユニット１００は、図１を参照して上述したように、別個の破断力を定める２つの結合部分１３２および１３４を提示する結合層１３０を有する。
【００５２】
結合層２３０は、力Ｆよりも大きい破断力を定め、したがってクロージャ・システムが使用中の間、第２のユニット２００が支持部に固定されることを確実にする。
【００５３】
この時点で、Ｆｒ１＜Ｆｒ２であるように結合部分１３４が破断力Ｆｒ１を定めるとともに結合部分１３２が破断力Ｆｒ２を定めることを仮定する。
【００５４】
保持要素１２０および２２０が、Ｆｒ１＜Ｆ＜Ｆｒ２であるように、力Ｆに抵抗するように構成されている２つのユニット１００と２００の間の接続部を定めることも仮定する。
【００５５】
底板１４０および２４０は、ユニット１００および２００の結合層の強度よりも厳密に大きいとともに、保持要素１２０および２２０によって定められる接続部の強度よりも厳密に大きい強度を提示するように入れ物の壁１および壁２に固定され、底板１４０および２４０は、システムが使用中の間、壁１および壁２に固定されたままとなるようになっている。
【００５６】
システムがユニット１００および２００のために支持部を形成する底板１４０および２４０を有するとき、このシステムは、入れ物を充填する前または後に入れ物に組み付けることができる。例えば、任意選択によりその２つのユニット１００および２００がすでに相互に係合された状態で、入れ物を充填し、次いで入れ物にシステムを固定することが可能であり、または、さもなければ、２つのユニット１００および２００は、入れ物に独立して固定されてもよく、この入れ物は充填することができ、次いで２つのユニットは入れ物を閉鎖するように係合することができる。
【００５７】
そのような入れ物の使用についての説明を続ける。
第１の開封前に、両ユニット１００および２００は、それらのそれぞれの底板１４０および２４０にそれらの結合層１３０および２３０を介して固定される。
【００５８】
様々な状況を区別することができる。
使用者が入れ物の内容物にアクセスするために入れ物を開封しようと望むとき、使用者は、入れ物の壁１および壁２に力を加え、保持要素１２０および２２０を係合解除するように壁１および壁２を離すように移動させる傾向がある。
【００５９】
この力は、通常、入れ物の自由端、すなわち入れ物の開口４を定める入れ物の壁１および壁２の各端を介して加えられる。したがって、加えられた力が力Ｆよりも大きい場合、保持要素１２０および２２０は、係合解除し、入れ物は開封される。適切な場合、レジスタ内に配置された保持要素１２０と結合部分１３４の係合解除中、この部分は、全体的にまたは部分的に破断する。
【００６０】
逆に、例えば、入れ物が１メートルの高さにわたって落下した結果として、入れ物の内側からクロージャ・システムに力が加えられる場合、加えられた力によって結合部分１３２の破断が始まり、それによって底板１４０から基部１１０の一部を分離し、図６に示されるように、ヒンジ型構造を形成するようになっている。そのようなヒンジ型構造は、入れ物の内側から及ぼされる応力に対してクロージャ・システムの強度を増大させ、その結果として偶発的に入れ物が開封する危険を減少させる。
【００６１】
したがって、そのような入れ物は、入れ物が外側から簡単に開封されることをさらに可能にしつつ、かつ容易化される組み付けを提示しつつ、入れ物の内側からの開封に対して入れ物の外側からよりも大きい強度を提示する。
【００６２】
図７は、本発明の一態様におけるクロージャ・システムを含む入れ物の別の実施形態を示す。
図示された本実施形態では、２つのユニット１００および２００の保持要素１２０および２２０は、相補的形状を有するセクション部材である。図５および図６に示されるような別々の要素のフィールド、または任意の他のタイプの保持要素のフィールドを使用することもできることは容易に理解されよう。
【００６３】
本実施形態では、２つのユニット１００および２００は、ユニット１００および２００の基部１１０および２１０の内縁および外縁に沿って配置された結合ストリップを介して底板１４０および２４０に固定される。したがって、これらの結合ストリップは、図２に示された第１のユニット１００を参照して上述されたように、各基部と関連した底板の間の空いている部分を画定する。
【００６４】
図示の例では、第１の基部１１０を底板１４０に接続する２つの結合部分１３２および１３４は、図２を参照して上述したように別個である。第２の基部２１０を底板２４０に接続する２つの結合部分２３２および２３４も、同様に別個であり、結合部分２３２および２３４は、Ｆｒ３＜Ｆ＜Ｆｒ４であるように、それぞれ、結合部分２３４および２３２について別個の破断力Ｆｒ３およびＦｒ４を定め、ただし、Ｆは、保持要素１２０および２２０を係合解除するのに必要な力である。典型的には、力Ｆｒ１およびＦｒ３は同一であり、力Ｆｒ２およびＦｒ４も同様であり、結合部分１３２および１３４は、それぞれ結合部分２３２および２３４と同一であることをもたらす。
【００６５】
この例においてより小さい強度を提示する結合部分２３４は、入れ物の外側に向けて配置されることを観察されたい。
したがって、使用者が入れ物を開封するために入れ物の自由端を介して力を加えるとき、この結合部分２３４は破断し、したがって、特に、入れ物が開封されたというマーカを形成することを可能にさせ、または実際には、例えば入れ物の壁または任意の他の製品へのクロージャ・システムの組み付けを容易にしつつ、開口に対するクロージャ・システムの強度を増大させることを可能にさせる。
【００６６】
上述したように、結合部分１３４は、Ｆｒ１よりも大きい力が入れ物の内側から加えられた場合に破断し、それによって偶発的な開封の危険に対して入れ物を保護する。
【００６７】
したがって、提案された構造は、２つのヒンジを有する構造を形成することを可能にしており、ユニットの一方（ユニット１００）はその外側境界を介して入れ物に接続される一方、他方のユニット２００はその内側境界によって入れ物に接続される。
【００６８】
次いで、基部と底板の間に形成された空いている部分は、シールされた空洞を形成するように完全に閉鎖することができる。図示の実施形態では、結合部分１３４の破断によって基部１１０と底板１４０の間に形成されたシールされた空洞の開封がもたらされることを理解できよう。同様に、結合部分２３４の破断によって基部２１０と底板２４０の間に形成されたシールされた空洞の開封がもたらされる。
そして、一例によって、そのような空いている部分内に感知マーカ、例えば視覚的または嗅覚的であるとともに、したがってクロージャ・システムの第１の使用において解放されるマーカを配置することが可能であり、それによってさらなる使用マーカを形成する。
【００６９】
図８は、本発明の一態様におけるクロージャ・システムを備えた入れ物のさらに別の実施形態を示す。
図示の実施形態では、保持要素１２０および２２０は、ループ・アンド・ホック型である。上述したように、図５および図６に示された別個の要素のフィールドまたは任意の他のタイプの保持要素のフィールドが使用されてもよく、保持要素のこの特定の例は、例示的なものにすぎないことが理解できよう。
【００７０】
本実施形態では、第１のユニット１００は、システムが使用中であるときに第１のユニット１００を底板１４０に保持する働きをする均一な結合層１３０を介して底板１４０に固定される。
第２のユニット２００は、図７を参照して上述したものと同様に、２つの別個の結合部分２３２および２３４を備えた結合層２３０を介して底板２４０に固定される。
【００７１】
したがって、２つの結合部分２３２および２３４は、それぞれ、Ｆｒ３＜Ｆ＜Ｆｒ４であるように、結合部分２３４および２３２について別個の破断力Ｆｒ３およびＦｒ４を定めており、ただし、Ｆは、保持要素１２０および２２０を係合解除するのに必要な力である。
【００７２】
したがって、使用者が入れ物の自由境界を介して入れ物に開封力を加えるとき、この結合部分２３４は破断し、入れ物が開封されたことを示すマーカを形成する。
【００７３】
図１から図８に記載された様々な実施形態は、２つの別個の結合部分を単に定めることを観察されたい。そのような例は、限定ではなく、複数の別個の破断力を定める結合部分が設けられてもよく、ユニット１００および２００の一方の結合層のうちの少なくとも１つが少なくとも２つの別個の破断力を定める結合部分を含むことをもたらすことが容易に理解されよう。
【００７４】
したがって、図９は、本発明の一態様におけるクロージャ・システムを備えた入れ物の別の実施形態を示す。
本実施形態は、図５を参照して上述した実施形態と同様であり、本実施形態における結合層１３０が、少なくとも２つの別個の破断力を定めつつ第１のユニット１００を支持部に固定するように適合されている３つの別個の各部分１３２、１３４、および１３６を備えることがそれらとは異なっている。
【００７５】
したがって、結合部分１３４と結合部分１３６の間に配置された結合部分１３２が破断力Ｆｒ５を定めると仮定すると、ユニット１００の内縁に沿って配置された結合部分１３４は破断力Ｆｒ６を定め、ユニット１００の外縁に沿って配置された結合部分１３６は破断力Ｆｒ７を定める。
【００７６】
一例によれば、これらの破断力は、Ｆｒ６＜Ｆ＜Ｆｒ５、およびＦｒ７＜Ｆ＜Ｆｒ５であるように構成されている。
したがって、開封システムの第１の使用中、結合部分１３６は、入れ物が使用されたというマーカを形成するように破断する。
【００７７】
同様に、結合部分１３４は、図５を参照して上で詳細に説明されたように、偶発的に入れ物が開封する危険を減少させるように働く。一例によれば、力Ｆｒ６およびＦｒ７は等しくてもよく、または力Ｆｒ６およびＦｒ７は異なっていてもよい。
一変形例では、破断力は、Ｆｒ６＜Ｆｒ５＜Ｆ＜Ｆｒ７であるように構成することができる。
【００７８】
そのような実施形態では、結合部分１３４および１３２は、入れ物の内側から力が加えられると連続して破断する。結合部分１３６は、図６に示されたものと同様のヒンジ式接続を用いて接続部を基部１１０と底板１４０の間で維持するように働く。
例えば、Ｆｒ７＜Ｆｒ５＜Ｆ＜Ｆｒ６であるように破断力を構成することによって、逆の構成も可能である。
【００７９】
次いで、結合部分１３６および１３２は、システムが開封されたという２つの連続するマーカを定め、一方、結合部分１３４は、ヒンジ式接続を用いて基部１１０と底板１４０に間の接続部を維持するように働く。
【００８０】
図１０は、本発明の一態様におけるクロージャ・システムを備えた入れ物の別の実施形態を示す。
図示の実施形態では、入れ物は、入れ物の壁１および壁２に配置されたユニット１００および２００を備えたクロージャ・システムによって選択的に開閉することができる注ぎ口を定める開口４を有する。この例では、２つのユニット１００および２００は、単一の連続的なユニットを形成し、典型的にはそれらは同一である。
【００８１】
目下提案されたクロージャ・システムは、このように形成された注ぎ口が開封に対してその強度よりも上で改善された制御を有することを確実にするとともに、例えば入れ物が落下した場合における偶発的な開封に対してその強度を改善するように働く。図１０に示されるようなクロージャ・システムは、この例では底板を有しない。変形実施形態では、クロージャ・システムは、上述したように底板を備えことができる。
【００８２】
クロージャ・システムは、ユニット１００および２００が入れ物の開口の周囲の周り全体に連続的に施されるときに同様の利点を提示する。
様々な実施形態では、「ヒートシールする」という用語は、例えば、超音波、熱、または実際には超周波数を伴うタイプの高分子拡散によって結合をカバーするように使用される。
【００８３】
様々な実施形態では、バッグの開封力Ｆは、例えば、０．１ニュートン（Ｎ）から２００Ｎの範囲内にあり、より具体的には０．５Ｎから１００Ｎの範囲内にあり、さらにより具体的には１Ｎから６０Ｎの範囲内にある。
【００８４】
様々な実施形態では、ユニット１００および２００の基部、保持要素、および底板は、１種（または複数種）のポリマー材料またはプラスチック材料、例えば、単一モードまたはマルチ・モード（例えば、２つのモード）である分子量の分布を有する直鎖状低密度ポリエチレン（ＬＬＤＰＥ）、低密度ポリエチレン（ＬＤＰ）、メタロセン・ポリエチレン（ｍ−ＰＥ）、高密度ポリエチレン（ＨＤＰＥ）、エチレン酢酸ビニル（ＥＶＡ）、およびポリプロピレン（ＰＰ）、特に、ＬＬＰＤＥおよびプラストマ、特にポリエチレン・ベースのプラストマを含む組成を用いて作製することが好ましい。ユニット１００および２００の基部および／または底板は、複数のポリマー材料またはプラスチック材料からなることが好ましく、基部および／または底板における様々な材料は、均一または非均一に（例えば、異なる材料のレシピをそれぞれが有する異なる層の形態で）分布し得ることを理解されたい。
【００８５】
様々な実施形態では、基部、保持要素、および底板は、異なる溶融温度、特に少なくとも５℃だけ異なる溶融温度、またはより具体的には少なくとも２０℃だけ異なる溶融温度を有する単一の材料または少なくとも２種類の材料で構成することができる。基部、保持要素、および底板を形成する材料の溶融温度は異なってよくまたは同一でもよく、それらは、５０℃から２５０℃の範囲内、より具体的には６０℃から１７０℃の範囲内にあり得る。
【００８６】
様々な実施形態では、別個の破断力を定める結合部分は、より弱い破断力の少なくとも５％だけ、より具体的には少なくとも１０％だけ、好ましくは少なくとも２０％だけ破断力が異なることを意味するものとして理解されたい。
【００８７】
記載された例では、結合部分は、長手方向に連続しており、保持要素１２０および２２０は、使用される製造方法に応じて、それらの縦方向（ＭＤ）、すなわち保持要素がそれらの製造の終わりに搬送される方向、またはさもなければ横方向（ＣＤ）、すなわち縦方向に直交する方向に延びる。変形実施形態では、結合部分は、長手方向、および／または長手方向に直交する横方向に断続的に作製することができる。
【００８８】
図１１および図１２は、説明されたシステムの効果を示す２つのグラフである。
これらの２つのグラフは、（ミリメートルの単位で、横座標軸に沿ってプロットされる）移動中にクロージャ・システムを装備した２つの両壁に加えられる力（ニュートンの単位）の変化をプロットする。図１１は、上述したようなクロージャ・システムを用いて得られた結果を示し、一方、図１２は、従来技術のクロージャ・システムで得られた結果を示す。
【００８９】
２つの支持面、典型的にはプラスチック・バッグなどの入れ物の壁に各クロージャ・システムを形成する２つのユニットを固定することによって測定が行われた。
次いで、それらの２つの支持面は、クロージャ・システムの２つのユニットを分離しようとする牽引力が加えられる巻上機の２つの顎部内に配置され、それによってそのようなクロージャ・システムを装備した入れ物の開封をシミュレートした。
【００９０】
図１１は、本発明の一態様における同じクロージャ・システムの２つの連続する「開封」を表す２つの曲線を示す。
したがって、曲線Ｃ１は、このシステムの第１の開封を表し、曲線Ｃ２は、このシステムの第２の開封を表す。
図３および図４を参照して上述したように、例えばバッグの内側から加わる開封力に対応する「望ましくない」方向にクロージャ・システムに加えられる開封力をシミュレートするように力が加えられる。
【００９１】
図１１にはっきり見られるように、２つの曲線Ｃ１およびＣ２は、約３５Ｎの力まで行く主ピークを提示する。
曲線Ｃ２とは異なり、曲線Ｃ１は、主ピークのわずか前に、より小さい振幅（約１０Ｎ）の第１のピークを提示する。
【００９２】
第１のピークは、力を加え、次いでクロージャ・システムの結合部分の一方を破断することに対応する。
主ピークは、クロージャ・システムの結合部分の一方を破断した後に、クロージャ・システムを開封することに対応する。
【００９３】
したがって、クロージャ・システムは、第１の使用（曲線Ｃ１）、および続く使用（曲線Ｃ２）において異なって挙動し、第１の使用だけが、結合部分の破断に対応する第１のピークを提示することが理解できる。
図１２は、２つの曲線Ｄ１およびＤ２を示し、両者は、図１１のグラフを得るために使用したものと同一の保持要素を有するが、従来の手法で、すなわちクロージャ・システムの使用中に均一であり破断しないように構成されている結合層を用いて支持面に固定されている単一のクロージャ・システムの２つの連続する「開封」を表す。
【００９４】
この図に見られるように、２つの曲線Ｄ１およびＤ２は、同様の外形を有し、それぞれは、開封が完了するまでの保持要素の進行する分離を表す（約１Ｎから約７Ｎの範囲内で）減少する強度の一連のピークを提示する。
【００９５】
図１１に示された曲線とは異なり、２つの曲線Ｄ１およびＤ２は同様の外形を有し、したがって、続く開封と比較して第１の開封で別個である特性を提示する本発明のシステムとは異なり、クロージャ・システムは第１の開封および続く開封において実質的に一定である特性を提示することがまず理解できる。
【００９６】
使用された保持要素が同一であっても、曲線Ｄ１およびＤ２の各ピークは、曲線Ｃ１およびＣ２の各ピークの振幅よりもかなり小さい振幅であることを理解することもできる。
【００９７】
したがって、本発明のシステムは、予め定められた方向に大きく増加している開封に対しての強度の特性を得ることを可能にさせる。「所望の」方向に、例えばバッグの外側から力を加えることによる本発明の開封システムは、図３から図６の各実施形態を用いたときに曲線Ｄ１およびＤ２と同様の曲線をもたらすことがやはり観察されるはずである。したがって、説明されたようなシステムは、例えば偶発的な開封をもたらすクロージャ・システムの望ましくない使用に対応する第１の方向に力が加えられる場合に開封に対するクロージャ・システムの強度を大きく増大させることを可能にし、一方、例えばクロージャ・システムの「正常」および望ましい使用に対応する第２の方向に力を加えるときに開封に対する強度をほぼ変化させずに維持する。
【００９８】
提案されたクロージャ・システムは、非対称である特性を有するが、支持部への作製および組み付けが容易であるクロージャを提供することを可能にする。
【００９９】
さらに、提案されたシステムは、従来の非対称のクロージャ・システムと比較して衛生の観点で有利であり、使用において破断するように構成されている結合部分は、そのような結合部分が存在せず、ヒンジ型の非対称の接続部が初めから存在し、したがって不純物が蓄積し得る角を形成するシステムと比較して不純物が蓄積するのを防ぐことを特に可能にする。
【０１００】
提案されたシステムは、用途の観点でとても柔軟でもあり、開封のマーカ、または実際には改竄防止を提示する非対称のクロージャ・システムを提供することを可能にする。開封中に破断するように構成された結合部分は、例えば、この結合部分が破断する結果として形成された面のうちの少なくとも１つに残留マーク（例えば、局所的に増大する粗さ、表面の凹凸、または材料が透明であるときに表面の白色化）を残し、それによって開封マーカを形成するように構成することができる。
【図１】
2018511537.tif 000003
【図２】
2018511537.tif 000004
【図３】
2018511537.tif 000005
【図４】
2018511537.tif 000006
【図５】
2018511537.tif 000007
【図６】
2018511537.tif 000008
【図７】
2018511537.tif 000009
【図８】
2018511537.tif 000010
【図９】
2018511537.tif 000011
【図１０】
2018511537.tif 000012
【図１１】
2018511537.tif 000013
【図１２】
2018511537.tif 000014
【国際調査報告】
2018511537.tif 000015
2018511537.tif 000016
2018511537.tif 000017
2018511537.tif 000018